(57)【要約】【課題】簡単に構築でき、また利便性がよい光ポインティングシステムを備えた薄型表示装置を提供する。【解決手段】画像データに応じた画像を表示する液晶パネル１６ｂを備えた液晶テレビジョン装置１０において、赤外線Ａ、Ｂを発射する光ポインティングデバイス３０と、液晶パネル１６ｂ内にて、赤外線Ａ、Ｂを受光する受光素子５２を並行に配置した検出素子アレイ６０、６２が互いに直交するようにそれぞれ設けられた光検出グリッド５０と、光ポインティングデバイス３０から液晶パネル１６ｂ上に照射された赤外線Ａの位置情報を光検出グリッド５０上の何れかの位置として検出する位置検出手段（マイコン１８）と、位置情報を示すポインタ４０を位置検出手段による検出結果に基づいて液晶パネル１６ｂ上にＯＳＤ表示するＯＳＤ表示手段（マイコン１８）とを、備える。【選択図】図５
2009140253.tif 000002
【特許請求の範囲】
【請求項１】
画像データに応じた画像を表示する薄型表示パネルを備えた薄型表示装置において、
光線を発射する光ポインティングデバイスと、
上記薄型表示パネル内にて、上記光線を受光する受光素子を並行に配置した検出素子アレイが互いに直交するようにそれぞれ設けられた光検出グリッドと、
上記光ポインティングデバイスから上記薄型表示パネル上に照射された光線の位置情報を、上記光検出グリッド上の何れかの位置として検出する位置検出手段と、
上記位置情報を示すポインタを、上記位置検出手段による検出結果に基づいて上記薄型表示パネル上にＯＳＤ表示するＯＳＤ表示手段と
を、備えることを特徴とする薄型表示装置。
【請求項２】
上記受光素子は、上記薄型表示パネル内にてマトリクス状に配列された画素の間に配置されていることを特徴とする請求項１に記載の薄型表示装置。
【請求項３】
上記検出素子アレイは、上記薄型表示パネルの一方の幅まで伸ばした上記受光素子が長さ方向と直交する方向に上記薄型表示パネルの他方の幅まで等間隔で配置されていることを特徴とする請求項１または２に記載の薄型表示装置。
【請求項４】
上記受光素子は、特定の波長で電気的特性が変化する半導体であることを特徴とする請求項１乃至３の何れかに記載の薄型表示装置。
【請求項５】
上記位置検出手段は、一方の検出素子アレイにて上記光検出グリッドにおけるＸ軸方向の上記光線の位置を検出し、且つ他方の検出素子アレイにて上記光検出グリッドにおけるＹ軸方向の上記光線の位置を検出することで、上記光線の位置情報を上記光検出グリッド上の何れかの位置として検出することを特徴とする請求項１乃至４の何れかに記載の薄型表示装置。
【請求項６】
上記光ポインティングデバイスは、上記光線を所定周期でパルス状に発射するものであり、
上記位置検出手段は、上記パルス状の光線によって光が当たっているときと当たっていないときとで生じる差分が検出された場合に上記光線の位置情報を検出することを特徴とする請求項５に記載の薄型表示装置。
【請求項７】
上記光ポインティングデバイスは、上記光線を上記所定周期とは異なる第２所定周期で発射する為の操作ボタンを備え、
上記位置検出手段は、上記光線の位置情報を検出した状態で、上記操作ボタンが操作された場合には所定の処理を実行することを特徴とする請求項６に記載の薄型表示装置。
【請求項８】
上記受光素子は、
上記薄型表示パネル内にてマトリクス状に配列された画素の間に配置され、赤外線を受光すると抵抗値が変化する光導電素子であり、
上記検出素子アレイは、
上記薄型表示パネルの一方の幅まで伸ばした上記受光素子が長さ方向と直交する方向に上記薄型表示パネルの他方の幅まで等間隔で配置され、該受光素子の一端側にそれぞれ接続された第１抵抗を介して所定の電圧が供給され、該受光素子の他端側にそれぞれ接続された第２抵抗を介して接地されており、
上記光ポインティングデバイスは、
上記光線を所定周期でパルス状に発射すると共に、上記光線を該所定周期とは異なる第２所定周期で発射する為の操作ボタンを備えており、
上記位置検出手段は、
上記パルス状の光線によって光が当たっているときと当たっていないときとで生じる上記第２抵抗の両端の電圧における差分が所定時間継続して所定電圧以上となったときに、一方の検出素子アレイにて上記光検出グリッドにおけるＸ軸方向の上記光線の位置を検出し且つ他方の検出素子アレイにて上記光検出グリッドにおけるＹ軸方向の上記光線の位置を検出することで、上記光線の位置情報を上記光検出グリッド上の何れかの位置として検出すると共に、上記光線の位置情報を検出した状態で上記操作ボタンが操作された場合には所定の処理を実行するものであり、
ユーザによって選択されたチャンネルに対応するテレビジョン放送信号を選局して受信するテレビジョン装置であることを特徴とする請求項１に記載の薄型表示装置。 
【発明の詳細な説明】
【技術分野】
【０００１】
本発明は、画像データに応じた画像を表示する薄型表示パネルを備えた薄型表示装置に関し、特に、光ポインティングデバイスを用いて薄型表示パネル上の任意の位置を指示する技術に関する。
【背景技術】
【０００２】
光ポインティングデバイスを用いて画像表示面上にポインタを表示させる光ポインティングシステムがよく知られている。
例えば、特許文献１には、ディスプレイ上に赤外線ポインタで照射される指示点の座標を、前方に設けた光センサーシートによって、Ｘ方向の指示座標とＹ方向の指示座標とを抽出するディスプレイシステムが開示されている。
また、特許文献２には、コンピュータの入力表示画面に、光ポインタ装置が発信した可視光と赤外線光とで構成されたポインティング光線でポインティングし、ポインティングの反射光を受光検出した位置データにより、コンピュータの入力操作を行う光ポインティング入力システムが開示されている。
また、特許文献３には、画像を表示するスクリーンボード上に、指示器により発信した信号（超音波または赤外線）により、ポインタを表示し、ボードの３カ所に配置した信号受信手段により受信した信号の変化量に基づいてボード上を指し示す指示器の２方向の動作量を算出して、ボード上に表示するポインタを指示器により操作するポインティングデバイスが開示されている。
【特許文献１】特開平９−２２２９５１号公報
【特許文献２】特開平１１−３０５９４０号公報
【特許文献３】特開２００２−２０７５６６号公報
【発明の開示】
【発明が解決しようとする課題】
【０００３】
特許文献１〜３に示されるように、ＣＲＴ型表示装置、液晶ディスプレイやプラズマディスプレイ等の薄型表示装置、或いはスクリーンに映像を投影するプロジェクタ装置などで光ポインティングシステムを構成するには、センサーシートを用いたり表示面からの反射光を受光してポジションデータを検出する入力装置を用いたりするなど表示装置に外付けする各種装置を用いることが有効である。
しかしながら、光ポインティングシステムの適用を薄型表示装置に限定するならば、必ずしも外付け装置を用いて光ポインティングシステムを構成する必要はなく、簡単に構築でき、また利便性がよい光ポインティングシステムが望まれる。
また、光線を用いる場合には、蛍光灯等の室内光や窓から差し込む自然光や人の動きによってできる明暗などの薄型表示装置を取り囲む環境に影響を受けて精度が低下する可能性があった。
【０００４】
本発明は上記課題に鑑みて為されたもので、その目的とするところは、簡単に構築でき、また利便性がよい光ポインティングシステムを備えた薄型表示装置を提供することにある。
【課題を解決するための手段】
【０００５】
上記目的を達成するための請求項１に記載の発明は、画像データに応じた画像を表示する薄型表示パネルを備えた薄型表示装置において、光線を発射する光ポインティングデバイスと、上記薄型表示パネル内にて、上記光線を受光する受光素子を並行に配置した検出素子アレイが互いに直交するようにそれぞれ設けられた光検出グリッドと、上記光ポインティングデバイスから上記薄型表示パネル上に照射された光線の位置情報を、上記光検出グリッド上の何れかの位置として検出する位置検出手段と、上記位置情報を示すポインタを、上記位置検出手段による検出結果に基づいて上記薄型表示パネル上にＯＳＤ表示するＯＳＤ表示手段とを、備える構成としてある。
【０００６】
上記のように構成された本発明の薄型表示装置において、上記光ポインティングデバイスから上記薄型表示パネル上に照射された光線の位置情報が上記薄型表示パネル内に設けられた光検出グリッド上の何れかの位置として検出され、その位置情報を示すポインタが薄型表示パネル上にＯＳＤ表示されることから、光線を受光するセンサーシートなどを薄型表示パネル上に貼り付けて光ポインティングシステムを構築することなく、ユーザは簡単に薄型表示パネル上の任意の点を指定することができる。
【０００７】
また、好適には、上記受光素子は、上記薄型表示パネル内にてマトリクス状に配列された画素の間に配置されている構成としても良い。
【０００８】
また、好適には、上記検出素子アレイは、上記薄型表示パネルの一方の幅まで伸ばした上記受光素子が長さ方向と直交する方向に上記薄型表示パネルの他方の幅まで等間隔で配置されている構成としても良い。このように構成されることで、薄型表示パネルの全域に渡って光検出グリッドが設けられる。
【０００９】
また、好適には、上記受光素子は、特定の波長で電気的特性が変化する半導体である構成としても良い。
【００１０】
また、好適には、上記位置検出手段は、一方の検出素子アレイにて上記光検出グリッドにおけるＸ軸方向の上記光線の位置を検出し、且つ他方の検出素子アレイにて上記光検出グリッドにおけるＹ軸方向の上記光線の位置を検出することで、上記光線の位置情報を上記光検出グリッド上の何れかの位置として検出する構成としても良い。
【００１１】
また、好適には、上記光ポインティングデバイスは、上記光線を所定周期でパルス状に発射するものであり、上記位置検出手段は、上記パルス状の光線によって光が当たっているときと当たっていないときとで生じる差分が検出された場合に上記光線の位置情報を検出する構成としても良い。
【００１２】
また、好適には、上記光ポインティングデバイスは、上記光線を上記所定周期とは異なる第２所定周期で発射する為の操作ボタンを備え、上記位置検出手段は、上記光線の位置情報を検出した状態で、上記操作ボタンが操作された場合には所定の処理を実行する構成としても良い。このように構成されることで、ユーザは簡単に薄型表示パネル上の任意の点を指定できることに加え、所定の処理を行わせることができる。
【００１３】
また、好適には、上記受光素子は、上記薄型表示パネル内にてマトリクス状に配列された画素の間に配置され、赤外線を受光すると抵抗値が変化する光導電素子であり、上記検出素子アレイは、上記薄型表示パネルの一方の幅まで伸ばした上記受光素子が長さ方向と直交する方向に上記薄型表示パネルの他方の幅まで等間隔で配置され、該受光素子の一端側にそれぞれ接続された第１抵抗を介して所定の電圧が供給され、該受光素子の他端側にそれぞれ接続された第２抵抗を介して接地されており、上記光ポインティングデバイスは、上記光線を所定周期でパルス状に発射すると共に、上記光線を該所定周期とは異なる第２所定周期で発射する為の操作ボタンを備えており、上記位置検出手段は、上記パルス状の光線によって光が当たっているときと当たっていないときとで生じる上記第２抵抗の両端の電圧における差分が所定時間継続して所定電圧以上となったときに、一方の検出素子アレイにて上記光検出グリッドにおけるＸ軸方向の上記光線の位置を検出し且つ他方の検出素子アレイにて上記光検出グリッドにおけるＹ軸方向の上記光線の位置を検出することで、上記光線の位置情報を上記光検出グリッド上の何れかの位置として検出すると共に、上記光線の位置情報を検出した状態で上記操作ボタンが操作された場合には所定の処理を実行するものであり、ユーザによって選択されたチャンネルに対応するテレビジョン放送信号を選局して受信するテレビジョン装置である構成としても良い。このように構成されることで、薄型表示パネルの全域に渡って光検出グリッドが設けられる。また、光が当たっているときと当たっていないときとによって光導電素子の抵抗値が変化して上記第２抵抗の両端の電圧が変化する。また、ユーザは簡単に薄型表示パネル上の任意の点を指定できることに加え、所定の処理を行わせることができる。
【発明の効果】
【００１４】
以上説明したように、請求項１に記載の発明によれば、光線を受光するセンサーシートなどを薄型表示パネル上に貼り付けて光ポインティングシステムを構築することなく、ユーザは簡単に薄型表示パネル上の任意の点を指定することができるので、簡単に構築でき、また利便性がよい光ポインティングシステムを備えた薄型表示装置が提供される。
【００１５】
また、本発明によれば、上記受光素子は上記薄型表示パネル内にてマトリクス状に配列された画素の間に配置されているので、光線を受光するセンサーシートなどを薄型表示パネル上に貼り付けることなく、光ポインティングシステムを簡単に構築できる。
【００１６】
また、本発明によれば、薄型表示パネルの全域に渡って光検出グリッドが設けられるので、上記光ポインティングデバイスから上記薄型表示パネル上に照射された光線の位置情報を確実に検出できる。
【００１７】
また、本発明によれば、上記受光素子は特定の波長で電気的特性が変化する半導体であるので、電気的特性が変化することを利用して上記光線の位置情報を検出できる。また、上記薄型表示パネル内にてマトリクス状に配列された画素の間に簡単に配置することができる。
【００１８】
また、本発明によれば、一方の検出素子アレイにて上記光検出グリッドにおけるＸ軸方向の上記光線の位置が検出され、且つ他方の検出素子アレイにて上記光検出グリッドにおけるＹ軸方向の上記光線の位置が検出されることで、上記光線の位置情報が上記光検出グリッド上の何れかの位置として検出されるので、その光線の位置情報が適切に特定される。
【００１９】
また、本発明によれば、上記光ポインティングデバイスから上記薄型表示パネル上にパルス状に照射された光線によって光が当たっているときと当たっていないときとで生じる差分が検出された場合に上記光線の位置情報が検出されるので、つまり絶対的な光量ではなく相対的な光量の変化で光線の位置が検出されるので、薄型表示装置を取り囲む環境の影響を受け難くなり、光線の位置情報を特定する精度が向上する。
【００２０】
また、本発明によれば、ユーザは簡単に薄型表示パネル上の任意の点を指定できることに加え、所定の処理を行わせることができるので、例えば薄型表示パネル上のポイント（カーソル）を動かしたり、薄型表示パネル上に表示されたボタンをクリックしたりすることができる。
【００２１】
また、本発明によれば、テレビジョン装置において、薄型表示パネルの全域に渡って光検出グリッドが設けられ、また光が当たっているときと当たっていないときとによって光導電素子の抵抗値が変化して上記第２抵抗の両端の電圧が変化するので、上記光ポインティングデバイスから上記薄型表示パネル上に照射された光線の位置情報を確実に検出できる。
また、ユーザは簡単に薄型表示パネル上の任意の点を指定できることに加え、所定の処理を行わせることができるので、例えばテレビジョン装置を利用してインターネット上のウェブページの閲覧等を行う際に、光ポインティングデバイスを使用して薄型表示パネル上のポイント（カーソル）を動かしたり、薄型表示パネル上に表示されたボタンをクリックしたりすることができ、テレビジョン装置にてストレスなくウェブページの閲覧操作等が楽しめる。
また、上記受光素子は上記薄型表示パネル内にてマトリクス状に配列された画素の間に配置されているので、光線を受光するセンサーシートなどを薄型表示パネル上に貼り付けることなく、テレビジョン装置にて光ポインティングシステムを簡単に構築できる。
また、上記受光素子は赤外線を受光すると抵抗値が変化する光導電素子であるので、抵抗値が変化することを利用して上記光線の位置情報を検出できる。また、上記薄型表示パネル内にてマトリクス状に配列された画素の間に簡単に配置することができる。
また、一方の検出素子アレイにて上記光検出グリッドにおけるＸ軸方向の上記光線の位置が検出され、且つ他方の検出素子アレイにて上記光検出グリッドにおけるＹ軸方向の上記光線の位置が検出されることで、上記光線の位置情報が上記光検出グリッド上の何れかの位置として検出されるので、その光線の位置情報が適切に特定される。
また、上記光ポインティングデバイスから上記薄型表示パネル上にパルス状に照射された光線によって光が当たっているときと当たっていないときとで生じる上記第２抵抗の両端の電圧における差分が所定時間継続して所定電圧以上となったときに上記光線の位置情報が検出されるので、つまり絶対的な光量ではなく相対的な光量の変化で光線の位置が検出されるので、薄型表示装置を取り囲む環境の影響を受け難くなり、光線の位置情報を特定する精度が向上する。
【発明を実施するための最良の形態】
【００２２】
以下、図面にもとづいて本発明の実施形態を説明する。
（１）薄型テレビジョン装置の概略構成
（２）光検出グリッドの概略構成
（３）光ポインティングデバイス使用時の制御作動
（４）変形例
（５）まとめ
【００２３】
（１）薄型テレビジョン装置の概略構成
以下、図１、２を参照して本発明が適用される薄型表示装置としての液晶テレビジョン装置１０の概略構成を説明する。図１は液晶テレビジョン装置１０を示す斜視図であり、図２は液晶テレビジョン装置１０のブロック構成図である。
尚、本実施形態では本発明が適用される薄型表示装置として液晶テレビジョン装置を例示するが、この実施形態に限定されるものではなく、例えばプラズマテレビや有機ＥＬテレビ等の薄型テレビジョン装置、テレビ機能を有しない液晶ディスプレイやプラズマディスプレイ等の薄型ディスプレイであれば、本発明の要旨を逸脱しない範囲で種々の変形実施の形態が可能である。
【００２４】
図１、図２において、液晶テレビジョン装置１０は、ユーザによって選択されたチャンネルに対応するテレビジョン放送信号を選局して受信することに加え、ＬＡＮケーブル２６で接続されたルータ機能付きモデム装置２４を介してインターネット回線１００に接続されることで所定のネット・サービスを利用することができる。また、ユーザは、このネット・サービスを利用する際には、光ポインティングデバイス３０を用いて薄型表示パネルとしての液晶パネル１６ｂ上にポインタ４０を表示させ、光ポインティングデバイス３０に備えられた操作ボタン３２を押し下げ操作することで所定の処理を行わせることができる。このように、液晶テレビジョン装置１０は、光ポインティングデバイスを用いて画像表示面上にポインタを表示させる光ポインティングシステムを備えている。
【００２５】
具体的には、液晶テレビジョン装置１０は、例えばチューナ１１と、フロントエンド１２と、デコーダ１３と、ＯＳＤ回路１４と、音声出力部１５と、画像表示部１６と、リモコン受信部１７と、マイコン１８と、電源回路１９と、インタフェース２０と、信号処理部２１と、スイッチ回路２２と、リモコン２５と、光ポインティングデバイス３０とを備えている。
【００２６】
チューナ１１は、例えばアンテナ２３と接続されており、マイコン１８から入力される制御信号に従って、アンテナ２３で受信されるテレビジョン放送信号の中から１つのチャンネル（例えばユーザによって選局されたチャンネル）に対応するテレビジョン放送信号を取得してフロントエンド１２に出力する。
【００２７】
フロントエンド１２は、例えばマイコン１８から入力される制御信号に従って、チューナ１１から出力されたテレビジョン放送信号を中間周波信号に変換して、デコーダ１３に出力する。
【００２８】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、スイッチ回路２２を介してそのデコードした音声信号を音声出力部１５へ出力するとともに、映像信号を画像表示部１６へ出力する。
【００２９】
インタフェース２０は、例えばＬＡＮケーブル２６を介してルータ機能付きモデム装置２４と接続され、ルータ機能付きモデム装置２４とマイコン１８との間に立って、情報のやり取りを仲介する。
【００３０】
信号処理部２１は、例えばインタフェース２０から入力された上記所定のネット・サービスの信号に所定の処理を施して所定の音声信号及び映像信号に変換する。そして、スイッチ回路２２を介してその変換した音声信号を音声出力部１５へ出力するとともに、映像信号を画像表示部１６へ出力する。
【００３１】
スイッチ回路２２は、例えばマイコン１８からの制御信号に従って、デコーダ１３からの音声信号および映像信号、或いは信号処理部２１からの音声信号および映像信号を音声出力部１５および画像表示部１６へそれぞれ出力する。
【００３２】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、スイッチ回路２２から画像表示部１６へ出力される映像信号に合成する。
【００３３】
音声出力部１５は、例えば音声出力アンプＩＣ（Ｄ−ＡＭＰ）１５ａやスピーカ１５ｂなどを有し、音声出力アンプＩＣ１５ａによりスイッチ回路２２から入力された音声信号に電力増幅等の所定の処理を施して、その音声信号に基づく音声データに応じた音声をスピーカ１５ｂから出力する。
【００３４】
画像表示部１６は、例えばパネル駆動回路１６ａや液晶パネル１６ｂなどを有し、スイッチ回路２２から出力された映像信号に基づく画像データに応じた画像や、スイッチ回路２２から出力されてＯＳＤ回路１４によりＯＳＤ表示信号が合成された映像信号に基づく画像データに応じた画像を表示する。
【００３５】
リモコン受信部１７は、例えばリモコン２５から送信された各種赤外線信号（制御コマンド）を受信し、それら各種信号に基づく各種データをマイコン１８へ出力する。
【００３６】
リモコン２５は、例えばユーザによって操作され、その操作に応じた赤外線信号をリモコン受信部１７へ送信する。
【００３７】
光ポインティングデバイス３０は、例えばネット・サービス開始／終了ボタン３１と操作ボタン３２とを備え、ネット・サービス開始／終了ボタン３１が押し下げ操作されると次に押し下げ操作されるまで継続して光線としての赤外線Ａを第1所定周期でパルス状に発射する。また、赤外線Ａを発射している状態で操作ボタン３２が押し下げ操作されると赤外線Ａとは異なる赤外線Ｂを第１所定周期とは異なる第２所定周期で一時的に発射する。
【００３８】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいてチャンネルの切換え、音量のアップ／ダウン、信号処理を施して映像・音声出力する為の入力ソース（信号源、本実施例ではテレビジョン放送やネット・サービス）からの信号を切り替える入力信号切替等を制御する。
ＣＰＵ１８ａは、ＲＯＭ１８ｃに記憶された液晶テレビジョン装置１０用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１０で実行可能なシステムプログラム、そのシステムプログラムで実行可能な各種処理プログラム、これら各種処理プログラムを実行する際に使用されるデータ、ＣＰＵ１８ａによって演算処理された各種結果のデータなどを記憶する。なお、プログラムは、コンピュータが読み取り可能なプログラムコードの形でＲＯＭ１８ｃに記憶されている。
【００３９】
電源回路１９は、例えば部分共振電源回路であり、商用ＡＣ電源を複数種類の所定の電圧に変換して液晶テレビジョン装置１０の各部へ動作電源電圧を出力する。
【００４０】
（２）光検出グリッドの概略構成
ここで、液晶パネル１６ｂ内には、光ポインティングデバイス３０が発射した赤外線Ａ、Ｂを受光する光検出グリッド５０が設けられている。図３は光検出グリッド５０の概略構成を例示する図であり、図４は赤外線の検出方法を例示する図であり、図５は検出素子アレイの構成を例示する図である。
【００４１】
図３〜図５において、光検出グリッド５０は、例えば液晶パネル１６ｂ内にて、赤外線Ａ、Ｂを受光する受光素子５２を並行に配置した検出素子アレイ６０、６２が互いに直交するようにそれぞれ設けられている。受光素子５２は、例えば特定の波長で電気的特性が変化する半導体であり、本実施例では赤外線Ａ、Ｂを受光すると抵抗値が変化する光導電素子である。また、この受光素子５２は、例えば液晶パネル１６ｂ内にてマトリクス状に配列された画素Ｐの間に配置されている。
検出素子アレイ６０、６２は、例えば液晶パネル１６ｂの一方の幅まで伸ばした受光素子５２が長さ方向と直交する方向に液晶パネル１６ｂの他方の幅まで等間隔で配置され、受光素子５２の一端側にそれぞれ接続された第１抵抗Ｒ１を介して所定の電圧Ｖが供給され、受光素子５２の他端側にそれぞれ接続された第２抵抗Ｒ２を介して接地されている。
【００４２】
このように検出素子アレイ６０、６２が構成されることで、液晶パネル１６ｂの全域に渡って光検出グリッド５０が設けられる。そして、この光検出グリッド５０において、例えば図３中の○印Ａで示した部分に光ポインティングデバイス３０が発射した赤外線Ａが当たっているとすると、Ｘ軸方向及びこのＸ軸と直交するＹ軸方向のそれぞれの光量検出強度は波形Ｘ、Ｙに示すような特性となり、それぞれのピークを検出することで液晶パネル１６ｂ上のどの部分（位置）に赤外線Ａが照射されているかを検出（特定）することが可能になる。
本実施例では、受光素子５２に光導電素子を用いており、一定の電圧Ｖを加えておけば赤外線Ａが当たっているときと当たっていないときとによって受光素子５２の抵抗値が変化して、第１抵抗Ｒ１、受光素子５２、および第２抵抗Ｒ２における分圧比が変化することから、図４に示すように第２抵抗Ｒ２の両端の電圧ＶR2を検出することによって赤外線Ａが当たっているのか当たっていないのかを判別することが可能となる。
従って、上述したＸ軸方向及びＹ軸方向のそれぞれの光量検出強度は、第２抵抗Ｒ２の両端の電圧ＶR2x、ＶR2yに置き換えることができる。
【００４３】
ところで、液晶パネル１６ｂには、蛍光灯等の室内光や窓から差し込む自然光や人の動きによってできる明暗などの環境光が当たることが考えられる。そうすると、受光素子５２がその環境光の影響を受けて赤外線Ａ、Ｂの検出精度が低下する可能性がある。そこで、光検出グリッド５０に赤外線Ａ、Ｂが当たっているときと当たっていないときとの差分がある位置を検出することによって赤外線Ａ、Ｂが照射されているか否かを精度良く判別する。その為、前述したように赤外線Ａ、Ｂをパルス状にしているのである。
図６は、赤外線Ａ、Ｂの波形を例示する図である。このような赤外線Ａ、Ｂが液晶パネル１６ｂに照射されてその赤外線Ａ、Ｂと同様の周期的な差分に相当する変化が第２抵抗Ｒ２の両端の電圧ＶR2に生じたときに、赤外線Ａ、Ｂの照射を検出するようにすれば良い。一方で、受光素子５２が環境光の影響を受けて電圧ＶR2が変化していても、赤外線Ａ、Ｂが照射されたことによる周期的な変化（差分）が電圧ＶR2に現れなければ、赤外線Ａ、Ｂの照射を検出しないようにすれば良い。
【００４４】
（３）光ポインティングデバイス使用時の制御作動
図７は、例えば光ポインティングデバイス３０を使用する際の制御作動を示すフローチャートであり、マイコン１８が有する機能として実現される。
【００４５】
図７において、先ず、ステップＳ１０において、ユーザにより光ポインティングデバイス３０のネット・サービス開始／終了ボタン３１が押し下げ操作されたか否かが判断される。例えば、光ポインティングデバイス３０はネット・サービス開始／終了ボタン３１が押し下げ操作されると赤外線Ｃを発信するように構成されており、リモコン受信部１７にてその赤外線Ｃが受信されたか否かが判断される。また、ネット・サービス開始／終了ボタン３１が押し下げ操作されると次に押し下げ操作されるまで、光ポインティングデバイス３０から継続して赤外線Ａが発射される。
上記ステップＳ１０の判断が否定される場合は本ルーチンが終了させられるが肯定された場合はステップＳ２０において、受信した赤外線Ｃの信号に基づいて入力ソースがネット・サービスに切り替えられ、ネット・サービス用の画面が液晶パネル１６ｂに表示される（図１参照）。
次いで、位置検出手段に対応するステップＳ３０において、光ポインティングデバイス３０から液晶パネル１６ｂ上に照射された赤外線Ａの位置情報が光検出グリッド５０上の何れかの位置として検出される。例えば、検出素子アレイ６０にて光検出グリッド５０におけるＸ軸方向の赤外線Ａの位置が検出され且つ検出素子アレイ６２にて光検出グリッド５０におけるＹ軸方向の赤外線Ａの位置が検出がされることで、赤外線Ａの位置情報が光検出グリッド５０上の何れかの位置として検出される。この際、パルス状の赤外線Ａによって光が当たっているときと当たっていないときとで生じる第２抵抗Ｒ２の両端の電圧ＶR2における差分が所定時間継続して所定電圧以上検出されたときに赤外線Ａの位置情報が検出される。
上記ステップＳ３０にて赤外線Ａの位置情報が検出されない場合（ＮＯ）は本ルーチンが終了させられるが赤外線Ａの位置情報が検出された場合（ＹＥＳ）はＯＳＤ表示手段に対応するステップＳ４０において、位置情報を示すポインタ４０が検出結果に基づいて検出位置に対応する液晶パネル１６ｂ上の位置にＯＳＤ表示される（図１参照）。
次いで、位置検出手段に対応するステップＳ５０において、赤外線Ａの位置情報が検出された状態で操作ボタン３２が操作されたか否かが判断される。例えば、液晶パネル１６ｂ上に表示された「番組情報」、「ゲーム」、「天気」、「ニュース」などの処理項目を選択可能なポインタ４０の位置にて、光ポインティングデバイス３０から照射された赤外線Ｂが検出される。
上記ステップＳ５０の判断が否定される場合は本ルーチンが終了させられるが肯定された場合は同じく位置検出手段に対応するステップＳ６０において、ステップＳ５０にて選択された項目における所定の処理が実行される。例えば、ポインタ４０が「番組情報」を選択可能な位置にあるときに赤外線Ｂが検出された場合には、「番組情報」が選択されたことがインタフェース２０に出力され「番組情報」が液晶パネル１６ｂ上に表示される。
このように本実施例では、赤外線Ａ、Ｂを受光するセンサーシートなどを液晶パネル１６ｂ上に貼り付けて光ポインティングシステムを構築することなく、ユーザは簡単に液晶パネル１６ｂ上の任意の点を指定することができ、更に所定の処理を行わせることができる。
【００４６】
（４）変形例
図８は、検出素子アレイの別の構成を例示する図である。
図８に示すように、一方の検出素子アレイ６４を液晶パネル１６ｂの幅方向に対して所定角度（例えば４５度）傾けて配置し、図示しない他方の検出素子アレイを検出素子アレイ６４と直交するように配置しても良い。このようにしても光検出グリッドは適切に構成される。
【００４７】
（５）まとめ
上述のように、本実施例によれば、赤外線Ａ、Ｂを受光するセンサーシートなどを液晶パネル１６ｂ上に貼り付けて光ポインティングシステムを構築することなく、ユーザは簡単に液晶パネル１６ｂ上の任意の点を指定することができるので、簡単に構築でき、また利便性がよい光ポインティングシステムを備えた液晶テレビジョン装置１０が提供される。
【００４８】
また、本実施例によれば、液晶パネル１６ｂの全域に渡って光検出グリッド５０が設けられ、また赤外線Ａが当たっているときと当たっていないときとによって受光素子５２（光導電素子）の抵抗値が変化して第２抵抗Ｒ２の両端の電圧ＶR2が変化するので、光ポインティングデバイス３０から液晶パネル１６ｂ上に照射された赤外線Ａの位置情報を確実に検出できる。
また、ユーザは簡単に液晶パネル１６ｂ上の任意の点を指定できることに加え、所定の処理を行わせることができるので、例えば液晶テレビジョン装置１０を利用してインターネット上のウェブページの閲覧等を行う際に、光ポインティングデバイス３０を使用して液晶パネル１６ｂ上のポインタ４０（カーソル）を動かしたり、液晶パネル１６ｂ上に表示された処理項目（ボタン）をクリックしたりすることができ、液晶テレビジョン装置１０にてストレスなくウェブページの閲覧操作等が楽しめる。
また、受光素子５２は液晶パネル１６ｂ内にてマトリクス状に配列された画素の間に配置されているので、赤外線Ａ、Ｂを受光するセンサーシートなどを液晶パネル１６ｂ上に貼り付けることなく、液晶テレビジョン装置１０にて光ポインティングシステムを簡単に構築できる。
また、受光素子５２は赤外線Ａ、Ｂを受光すると抵抗値が変化する光導電素子であるので、抵抗値が変化することを利用して赤外線Ａ、Ｂの位置情報を検出できる。また、液晶パネル１６ｂ内にてマトリクス状に配列された画素の間に簡単に配置することができる。
また、検出素子アレイ６０にて光検出グリッド５０におけるＸ軸方向の赤外線Ａの位置が検出され且つ検出素子アレイ６２にて光検出グリッド５０におけるＹ軸方向の赤外線Ａの位置が検出されることで、赤外線Ａの位置情報が光検出グリッド５０上の何れかの位置として検出されるので、その赤外線Ａの位置情報が適切に特定される。
また、光ポインティングデバイス３０から液晶パネル１６ｂ上にパルス状に照射された赤外線Ａによって光が当たっているときと当たっていないときとで生じる第２抵抗Ｒ２の両端の電圧ＶR2における差分が所定時間継続して所定電圧以上となったときに赤外線Ａの位置情報が検出されるので、つまり絶対的な光量ではなく相対的な光量の変化で赤外線Ａの位置が検出されるので、液晶テレビジョン装置１０を取り囲む環境（環境光）の影響を受け難くなり、赤外線Ａの位置情報を特定する精度が向上する。また、同様に、赤外線Ｂの検出精度が向上する。
【００４９】
以上、本発明の実施例を図面に基づいて詳細に説明したが、本発明はその他の態様においても適用される。
【００５０】
例えば、前述の実施例では、赤外線Ａ、Ｂとも光検出グリッド５０にて検出されたが、赤外線Ｂはリモコン受信部１７で受光されて操作ボタン３２の操作が判断されても良い。
また、液晶テレビジョン装置１０をパソコン用のモニタとして機能させても良い。この場合には、例えばシングルクリックやダブルクリックに相当する赤外線信号を送信する為の操作ボタンをそれぞれ設け、光ポインティングデバイス３０をマウスの替わりとして使用することが可能である。
【００５１】
なお、上述したのはあくまでも一実施形態であり、本発明は当業者の知識に基づいて種々の変更、改良を加えた態様で実施することができる。
【図面の簡単な説明】
【００５２】
【図１】本発明が適用される液晶テレビジョン装置を例示する斜視図である。
【図２】液晶テレビジョン装置の構成を例示するブロック図である。
【図３】光検出グリッドの概略構成を例示する図である。
【図４】赤外線の検出方法を例示する図である。
【図５】検出素子アレイの構成を例示する図である。
【図６】赤外線Ａ、Ｂの波形を例示する図である。
【図７】光ポインティングデバイスを使用する際の制御作動を示すフローチャートである。
【図８】検出素子アレイの別の構成を例示する図である。
【符号の説明】
【００５３】
１０：液晶テレビジョン装置（薄型表示装置）
１６ｂ：液晶パネル（薄型表示パネル）
１８：マイコン（位置検出手段、ＯＳＤ表示手段）
３０：光ポインティングデバイス
３２：操作ボタン
４０：ポインタ
５０：光検出グリッド
５２：受光素子（光導電素子）
６０、６２、６４：検出素子アレイ
Ｒ１：第１抵抗
Ｒ２：第２抵抗 
【図１】
2009140253.tif 000003
【図２】
2009140253.tif 000004
【図３】
2009140253.tif 000005
【図４】
2009140253.tif 000006
【図５】
2009140253.tif 000007
【図６】
2009140253.tif 000008
【図７】
2009140253.tif 000009
【図８】
2009140253.tif 000010